(57)【要約】【課題】グラビアシリンダーのチャッキング部及びその周辺の端面を洗浄する装置を提供する。【解決手段】固定軸の先端に備えられるグラビアシリンダーを挟持する挟持部材と、グラビアシリンダーの支持孔及び端面に接触する固定軸先端軸に接着されたの洗浄材部と、前洗浄材部内に挿入され、洗浄液を供給する洗浄液送液管と、挟持部材と固定軸を覆うカバーと、から構成されることを特徴とするグラビアシリンダーの端面及び支持孔部を洗浄する装置で、洗浄液を洗浄材部を通じて端面及び支持孔部に流出しながら洗浄材が接触しながら回転することによって洗浄する。【選択図】図１
2017124550.tif 000002
【特許請求の範囲】
【請求項１】
グラビアシリンダーの端面及び支持孔部を洗浄するグラビアシリンダー洗浄装置であって、
固定軸と、
前記固定軸の先端に固定される固定軸先端軸と、
グラビアシリンダーの両端で支持する前記固定軸先端軸の先端部に前記固定軸先端軸上に回転自在に設けられた挟持部材と、
前記固定軸先端軸の周りに設置された洗浄材部と、
前記洗浄材部に挿入され先端から洗浄液を流出する洗浄液送液管と、
前記挟持部材をグラビアシリンダー支持孔に押圧し勘合させ前記洗浄材部の一部表面をグラビアシリンダーの支持孔内部表面に接触させる押圧手段と、
前記固定軸と前記固定軸先端軸を回転する回転手段と、
前記固定軸と前記洗浄材部とを覆うカバーと、
グラビアシリンダー支持孔部及び端面へ流出した洗浄液を循環させる循環手段と、
から構成され、
前記カバーは、挟持部材がグラビアシリンダーを挟持し、固定軸と固定軸先端軸と洗浄材部が回転した時にグラビアリンダーの端面を押圧し、グラビアシリンダーを固定することを特徴とするグラビアシリンダーの端面及び支持孔部を洗浄するグラビアシリンダー洗浄装置。
【請求項２】
グラビアシリンダーの端面及び支持孔部を洗浄するグラビアシリンダー洗浄装置であって、
固定軸と、
前記固定軸の先端に固定される固定軸先端軸と、
グラビアシリンダーの両端で支持する前記固定軸先端軸に固定される挟持部材と、
前記固定軸先端軸上に回転自在な円筒部と前記円筒部に設置された洗浄材部と、
洗浄材部固定手段と、
前記挟持部材をグラビアシリンダー支持孔に押圧し勘合させ前記洗浄材部の表面の一部をグラビアシリンダーの支持孔内部表面に接触させる押圧手段と、
前記固定軸と前記固定軸先端軸と挟持部材を回転する回転手段と、
洗浄槽と、
から構成され、
前記洗浄材部固定手段は、固定軸先端軸がグラビアシリンダーを挟持し、グラビアシリンダーと固定軸先端軸と固定軸が回転した時に前記洗浄材部を固定することを特徴とするグラビアシリンダーの端面及び支持孔部を洗浄するグラビアシリンダー洗浄装置。
【発明の詳細な説明】
【技術分野】
【０００１】
本発明は、グラビアシリンダー支持孔部及び端面を洗浄する機能を有するグラビアシリンダー洗浄装置に関する。
【背景技術】
【０００２】
グラビア印刷では、グラビアシリンダーといわれる版胴の円筒の外周面にミクロン単位のセルと呼ばれる凹部を形成し、この凹部内にインキを詰めて、被印刷物に印刷をしている。シャフトレスのグラビアシリンダー（以後グラビアシリンダー１００）は図６のようであり、中空構造の円筒の構造をしており、円筒の両端の端面（フランジ部）には、テーパ状の支持孔を有しており、グラビア印刷機のテーパーコーンと呼ばれる挟持部材で、両側から支持孔１０１を押圧して挟持し印刷を行う。印刷時には、テーパーコーンも含めて、端部、外周面もインキで汚れる。印刷終了後は、端部と支持孔内部のインキ付着除去作業は必須である。従来は、版洗浄装置で、グラビアシリンダーの周、端部を洗浄していた（特許文献１）。図４に示す通りに、チャッキングコーンにより支持孔を挟持して、グラビアシリンダーを洗浄液で充填された洗浄槽にチャッキングコーンの下の一部を浸漬させ、グラビアシリンダーを回転して洗浄するが、支持孔内部や支持孔周辺の端部は、洗浄できない。そこで端面に、外からブラシを当て洗浄する版洗浄装置が考え出された（特許文献２）（特許文献３）。しかし支持孔内部までの洗浄ができなかった。そこで、印刷後に人手による支持孔内部と端部の洗浄作業が発生していた。
【先行技術文献】
【特許文献】
【０００３】
【特許文献１】特開２００７−１３６９０５号公報
【特許文献２】特許第２９４９４７９号公報
【特許文献３】特許第２９６７３１３号公報
【発明の概要】
【発明が解決しようとする課題】
【０００４】
印刷後の人手による支持孔内部と端部の洗浄作業はコストがかかってしまう。本発明は、上記のような従来技術の課題を解決しようとするものでありグラビアシリンダーの支持孔部と端面の洗浄が可能となる装置を提供することを目的とする。
【課題を解決するための手段】
【０００５】
本発明は上記課題を解決するためになされたもので、本発明の請求項１に係る発明は、グラビアシリンダーの端面及び支持孔部を洗浄するグラビアシリンダー洗浄装置であって、固定軸と、前記固定軸の先端に固定される固定軸先端軸と、グラビアシリンダーの両端で支持する前記固定軸先端軸の先端部に前記固定軸先端軸上に回転自在に設けられた挟持部材と、前記固定軸先端軸の周りに設置された洗浄材部と、前記洗浄材部に挿入され先端から洗浄液を流出する洗浄液送液管と、前記挟持部材をグラビアシリンダー支持孔に押圧し勘合させ前記洗浄材部の一部表面をグラビアシリンダーの支持孔内部表面に接触させる押圧手段と、前記固定軸と前記固定軸先端軸を回転する回転手段と、前記固定軸と前記洗浄材部とを覆うカバーと、グラビアシリンダー支持孔部及び端面へ流出した洗浄液を循環させる循環手段と、から構成され、前記カバーは、挟持部材がグラビアシリンダーを挟持し、固定軸と固定軸先端軸と洗浄材部が回転した時にグラビアリンダーの端面を押圧し、グラビアシリンダーを固定することを特徴とするグラビアシリンダーの端面及び支持孔部を洗浄するグラビアシリンダー洗浄装置である。
【０００６】
本発明の請求項２に係る発明は、グラビアシリンダーの端面及び支持孔部を洗浄するグラビアシリンダー洗浄装置であって、固定軸と、前記固定軸の先端に固定される固定軸先端軸と、グラビアシリンダーの両端で支持する前記固定軸先端軸に固定される挟持部材と、前記固定軸先端軸上に回転自在な円筒部と前記円筒部に設置された洗浄材部と、洗浄材部固定手段と、前記挟持部材をグラビアシリンダー支持孔に押圧し勘合させ前記洗浄材部の表面の一部をグラビアシリンダーの支持孔内部表面に接触させる押圧手段と、前記固定軸と前記固定軸先端軸と挟持部材を回転する回転手段と、洗浄槽と、から構成され、前記洗浄材部固定手段は、固定軸先端軸がグラビアシリンダーを挟持し、グラビアシリンダーと固定軸先端軸と固定軸が回転した時に前記洗浄材部を固定することを特徴とするグラビアシリンダーの端面及び支持孔部を洗浄するグラビアシリンダー洗浄装置である。
【発明の効果】
【０００７】
従来の版洗浄装置では洗浄ができなかったグラビアシリンダー部の支持孔内部や端面部の自動洗浄が可能となった。
【図面の簡単な説明】
【０００８】
【図１】は本発明の第一実施形態におけるグラビアシリンダー洗浄装置の構造を示す断面概略図である。
【図２】は本発明の第一実施形態におけるグラビアシリンダー洗浄装置の洗浄液送液部の構造を示す断面概略図である。
【図３】は本発明の第一実施形態におけるグラビアシリンダー洗浄装置の全体の構造を示す概略図である。
【図４】は本発明の第二実施形態におけるグラビアシリンダー洗浄装置の構造を示す断面概略図である。
【図５】は本発明の第二実施形態におけるグラビアシリンダー洗浄装置の全体の構造を示す概略図である。
【図６】はグラビアシリンダーの構造を示す説明図である。
【図７】は従来の版洗浄装置によるグラビアシリンダーの洗浄の様子を説明する図である。（ａ）はグラビアシリンダーを挟持する前の版洗浄チャッキングコーンとグラビアシリンダーであり、（ｂ）版洗浄チャッキングコーンがグラビアシリンダーの支持孔に勘合し挟持し、グラビアシリンダーの一部を、洗浄槽の洗浄液に浸漬し、シリンダーを回転させながら洗浄しているときの図。（ｃ）版洗浄機の洗浄後、端面と支持孔部が、インキ汚れが残っている図。（ｄ）版洗浄機の洗浄後、端面と支持孔部にインキ汚れが残っているグラビアシリンダーの端面の側面図。（ｅ）印刷前の、グラビアシリンダーの端面の側面図。
【発明を実施するための形態】
【０００９】
以下、本発明の第一実施形態のグラビアシリンダー洗浄装置について添付図面を参照して説明する。
【００１０】
図１は本発明の第一実施形態におけるグラビアシリンダー洗浄装置の構造を示す断面概略図である。
【００１１】
本発明の第一実施形態におけるグラビアシリンダー洗浄装置は、固定軸４と、固定軸４の先端に固定される固定軸先端軸３と、グラビアシリンダーの両端で支持する固定軸先端軸３の先端部に固定軸先端軸上に回転自在に設けられた挟持部材２と、固定軸先端軸３の周りに装着された洗浄材部１と、洗浄材部１に挿入され先端から洗浄液を流出する洗浄液送液管５と、挟持部材をグラビアシリンダー支持孔に押圧し勘合させ前記洗浄材部の一部表面をグラビアシリンダーの支持孔内部表面に接触させる押圧手段と、固定軸４と固定軸先端軸３を回転する回転手段と、固定軸と洗浄材部１とを覆うカバー６と、グラビアシリ
ンダー支持孔１０１内部及び端面へ流出した洗浄液を循環させる循環手段と、から構成される。
【００１２】
固定軸４の先端に固定軸先端軸３があり、その先端にベアリング７を介して挟持部材２が固定軸先端軸３に回転自在に取り付けられる。固定軸先端軸３の周囲にスポンジやブラシなどで構成される円錐台状の洗浄材部１が接着もしくは固定金具を使用して装着されている。
【００１３】
洗浄材部１には、洗浄液送液管５が挿入され先端から洗浄液を流出する。
【００１４】
図２は本発明の第一実施形態におけるグラビアシリンダー洗浄装置の洗浄液送液部１０の構造を示す断面概略図である。
【００１５】
洗浄液送液部１０は液室１８と液室１９から構成される。液室１８は中空円筒の形状をしており、洗浄液配管１３が接続されている。
【００１６】
液室１８には、中空円筒の中心軸方向から見て、中空円筒の中心軸と同軸の円筒状の注入口２０があり、中空円筒の形状をした液室１９が、注入口２０を内在させてベアリング１１を介して液室１９に対して回転自在に取り付けられる。
【００１７】
液室１８と液室１９の間の、注入口２０のまわりには、洗浄液が漏れ出さないように回転シーリング１２が設けられている。
【００１８】
液室１９は固定軸４に装着されている。固定軸４の回転によって、液室１９は液室１８の中空円筒の中心軸のまわりに、回転する。
【００１９】
液室１９から洗浄液送液管５が接続されている。
【００２０】
洗浄液配管１３から洗浄液が、液室１８に流入され、さらに液室１８内の洗浄液は、回転自在な液室１９に、注入口２０を通じて、洗浄液を流出する。液室１９の洗浄液は洗浄液送液管５に流出される。
【００２１】
図３は本発明の第一実施形態におけるグラビアシリンダー洗浄装置の全体の構造を示す概略図であり、図１、図２の範囲を含む。
【００２２】
固定軸先端軸３の先端にベアリングを介して装着された挟持部材２と固定軸先端軸３の周囲に装着された洗浄材部１の部分を洗浄ヘッド部３０とする（図１）。固定軸４を駆動部２１が、支持孔１０１に対して押圧することによって、洗浄ヘッド部３０と、固定軸５に装着する洗浄液送液部１０と洗浄液送液管５が移動される。挟持部材２は、支持孔１０１を押圧し、勘合し、グラビアシリンダー１００を挟持する。また洗浄ヘッド部３０の洗浄材部１の表面は、支持孔１０１の内部に接触する。
【００２３】
固定軸４はモーター２２によって回転する。固定軸４の回転によって洗浄液送液部１０の液室１９と洗浄液送液管５と、固定軸４の先端の固定軸先端軸３に装着された洗浄材１が回転する。挟持部材２は、ベアリング７を介して、固定軸先端軸３に取り付けられているため、固定軸４が回転しても、挟持部材２は回転しない。したがって挟持部材２が勘合したグラビアシリンダー１００も回転しない。
【００２４】
駆動部２１による固定軸４の押圧によって、洗浄ヘッド部３０の洗浄材部１の表面がグラビアシリンダー１００の支持孔１０１の内部を、接触している場合は、固定軸４がモー
ター２２によって回転したときに、接触しているグラビアシリンダー１００も摩擦により回転する可能性がある。
【００２５】
カバー６は駆動部２３に接続された軸２４の先端に接続されている。駆動部２３が軸２４を押圧すると、円筒状のカバー６の縁が、グラビアシリンダー１００の端面１０３を押圧し、支持孔１０１の内部に接触された洗浄材部１が回転しても、それによってグラビアシリンダー１００が回転しないように、グラビアシリンダー１００を固定する。
【００２６】
次に洗浄動作と洗浄液の液送系について説明をする。洗浄液タンク１４から洗浄液が洗浄液配管１３を通じて洗浄液送液部１０の液室１８に供給される。液室１８の洗浄液は回転自在に取り付けられている液室１９に洗浄液を供給し、洗浄液送液管５に洗浄液を流出する。洗浄液は洗浄材部１内部に挿入されている洗浄液送液管５の先から流出される。
【００２７】
洗浄材１内部で流出された洗浄液は、洗浄材部１を通じて端面１０３にも流出する。
【００２８】
固定軸４を駆動部２１が、支持孔１０１に対して押圧することによって、グラビアシリンダー１００は挟持され、洗浄ヘッド部３０の洗浄材部１の表面は、支持孔１０１の内部に接触している。この状態のまま、洗浄液を流出しながら、モータ２２によって固定軸４の回転を行うことによって、洗浄ヘッド部３０の洗浄材部１の表面は、支持孔１０１の内部を擦っていき、支持孔１０１内部と端面１０３の洗浄を行う。
【００２９】
この際に、カバー６は、駆動部２３の軸２４の押圧によって、端面１０３を押圧しているため、グラビアーシリンダー１００は回転せず固定しており、洗浄ヘッド部３０の洗浄材部１のみが回転する。
【００３０】
カバー６は、固定軸５と洗浄部ヘッド３０の洗浄材部１と、グラビアシリンダー端面１０３の一部を覆っている。洗浄ヘッド部３０の洗浄材部１の表面から出た洗浄液は、カバー６によって周囲に飛散せず、カバー６の下部に落ちる。カバー６の下方には、回収容器２５があり、カバー６の下部から漏れた洗浄液は回収され、配管１６によって回収タンク１７へ液送される。洗浄液は配管１５によって洗浄液タンク１４に液送され、循環される。
【００３１】
以上の洗浄装置はグラビアシリンダー１００の両端にある。
【００３２】
次に、本発明の第二実施形態にグラビアシリンダー洗浄装置について添付図面を参照して説明する。
【００３３】
図４は本発明の第二実施形態におけるグラビアシリンダー洗浄装置の構造を示す断面概略図である。
【００３４】
本発明の第二実施形態におけるグラビアシリンダー洗浄装置は、固定軸５４と、固定軸５４の先端に固定される固定軸先端軸５３と、グラビアシリンダーの両端で支持する前記固定軸先端軸に固定され挟持部材４１と、固定軸先端軸５３上に回転自在な円筒部４２と円筒部４２に装着された洗浄材部４５と、洗浄材部固定手段４６と、挟持部材４１をグラビアシリンダー支持孔１０１に押圧し勘合させ洗浄材部４５の表面一部をグラビアシリンダー支持孔１０１内部表面に接触させる押圧手段と、固定軸５４と固定軸先端軸５３と挟持部材４１を回転する回転手段と、洗浄槽４７と、から構成される。
【００３５】
固定軸５４の先端に固定軸先端軸５３があり、その先端に挟持部材４１が装着されている。固定軸先端軸５３上にベアリング４３を介して回転自在な円筒部４２が取り付けられ、円筒部４２の周囲にはスポンジやブラシなどで構成される円錐台状の洗浄材部４５が接着もしくは固定金具を使用して装着されている。
【００３６】
図５は本発明の第二実施形態におけるグラビアシリンダー洗浄装置の全体の構造を示す概略図であり、図４の範囲を含む。
【００３７】
固定軸先端軸５３の先端の挟持部材４１と、固定軸先端軸５３上にベアリング４３を介して回転自在に取り付けられた円筒部４２と、円筒部４２に装着された洗浄材部４５を洗浄ヘッド部４０とする（図４）。
【００３８】
固定軸５４を駆動部２１が、支持孔１０１に対して押圧することによって、洗浄ヘッド部４０が移動される。挟持部材４１は、支持孔１０１を押圧し、勘合し、グラビアシリンダー１００を挟持する。また洗浄ヘッド部４０の洗浄材部４５の表面は、支持孔１０１の内部に接触する。
【００３９】
固定軸５４はモーター２２によって回転する。固定軸５４の回転によって固定軸先端軸５３と固定軸５４の先端の挟持部材４１とグラビアシリンダー１００が回転する。
【００４０】
洗浄材部４５は、ベアリングを介して固定軸先端軸５３に回転自在に取り付けられている円筒部４２に接着もしくは固定金具を使用して装着されているので、固定軸５４が回転しても、洗浄材部４５は回転しない。
【００４１】
駆動部２１による固定軸５４の押圧によって、洗浄ヘッド部４０の洗浄材４５の表面が支持孔１０１の内部を接触してさらに固定軸５４がモーター２２によって回転したときに、グラビアシリンダー１００に接触している洗浄材部４５は摩擦により回転する可能性がある。
【００４２】
固定手段４６は、摺動部５５に接続された軸５６に接続されている。摺動部５５が軸５６を押圧すると、固定手段４６が、洗浄材部４５を押圧し、グラビアシリンダー１００が回転しても、それによって洗浄材部４５が回転しないように、洗浄材部４５を固定する。
【００４３】
次に洗浄動作について説明をする。固定軸５４を駆動部２１が、支持孔１０１に対して押圧することによって、挟持部材４１が支持孔を挟持する。グラビアシリンダー１００を洗浄液４８で充填された洗浄槽４７にグラビアシリンダー１００の下の一部と洗浄材部４５の一部を浸漬させる。モーター２２で回転軸５４を回転させることにより挟持されたグラビアシリンダー１００も回転する。洗浄槽に、グラビアシリンダー１００と洗浄材部４５の一部が回転されながら浸漬する。固定軸５４が回転しても、固定軸先端軸５３上に回転自在な円筒部に装着された洗浄材部４５は、固定手段４６によって固定されているので、洗浄材部４５は、回転するグラビアシリンダー１００の支持孔１０１内部と端部５３の支持孔周辺部を洗浄できる。洗浄材部４５は回転しないが、グラビアシリンダー１００の一部が続けて洗浄槽４７に浸漬されているので、洗浄材部４５に洗浄液４８も供給される。
【００４４】
本発明のグラビアシリンダー洗浄装置により、従来の版洗浄装置では洗浄ができなかったグラビアシリンダー部の支持孔内部や端面部の自動洗浄が可能となった。
【符号の説明】
【００４５】
１・・・洗浄材部
２・・・挟持部材
３・・・固定軸先端軸
４・・・固定軸
５・・・洗浄液送液管
６・・・カバー
７・・・ベアリング
１０・・・洗浄液送液部
１１・・・ベアリング
１２・・・回転シーリング
１３・・・洗浄液配管
１５・・・配管
１６・・・配管
１７・・・回収タンク
１８・・・液室
１９・・・液室
２０・・・注入口
２１・・・駆動部
２２・・・モーター
２３・・・駆動部
２４・・・軸
２５・・・回収容器
３０・・・洗浄ヘッド部
４０・・・洗浄ヘッド部
４１・・・挟持部材
４２・・・円筒部
４３・・・ベアリング
４４・・・ベアリング
４５・・・洗浄材部
４６・・・固定手段
４７・・・洗浄槽
４８・・・洗浄液
４９・・・洗浄液面
５３・・・固定軸先端軸
５４・・・固定軸
５５・・・摺動部
５６・・・軸
１００・・・グラビアシリンダー
１０１・・・支持孔
１０２・・・中空部
１０３・・・端面
１１０・・・版洗浄機チャッキングコーン
１１１・・・洗浄液面
１１２・・・インキ汚れ
【図１】
2017124550.tif 000003
【図２】
2017124550.tif 000004
【図３】
2017124550.tif 000005
【図４】
2017124550.tif 000006
【図５】
2017124550.tif 000007
【図６】
2017124550.tif 000008
【図７】
2017124550.tif 000009